(57)【要約】      （修正有）【課題】梯子または梯子状レールをガイドレールとして使用し、その梯子にトロッコ状の台車を取り付け、台車に取り付けたワイヤーロープを梯子上部に取り付けた滑車に通して地上に置かれた電動ウインチで巻き上げることにより、荷揚げ作業を行なう荷揚げ機の梯子の揺れやたわみを防止する金具を提供する。【手段】電動ウインチと梯子を取り付けた台枠と梯子とを、支柱にて固定することにより、台枠と梯子とを一体構造とし、梯子の揺れやたわみを防止する。【選択図】図１
0003142692.tif 000002
【実用新案登録請求の範囲】
【請求項１】
梯子を利用し、梯子にトロッコ状の台車を取り付けて、梯子上部に取り付けた滑車を介して、地上に置かれた電動ウインチのワイヤーロープを台車に取り付け、電動ウインチでワイヤーロープを巻き上げることにより、荷揚げ作業を行なう荷揚げ機の、電動ウインチと梯子を取り付ける台枠と梯子の横桟を支柱で結び、台枠と梯子を一体構造とすることにより電動ウインチの起動および停止時に起きる梯子の揺れおよびたわみを防止する金具。
【請求項２】
梯子状レールを使用した請求項１と同様な荷揚げ機に使用する請求項１と同様の金具。
【考案の詳細な説明】
【技術分野】
【０００１】  本考案は梯子または梯子状レールをガイドレールとして利用し、トロッコ状の台車をガイドレールに取り付け、ガイドレール上方に取り付けた滑車を介して、台車に取り付けたワイヤーロープを地上に置かれた電動ウインチで巻き上げることにより荷揚げ作業を行なう荷揚げ装置において、電動ウインチの起動時および停止時に起こる梯子の揺れおよびたわみを防止する金具である。
【背景技術】
【０００２】  従来、梯子または梯子状レールを利用した荷揚げ装置では、荷揚げ作業により発生する揺れやたわみを防止する為、梯子の中間の横桟に〔図３〕のような支柱を取り付けているが、この支柱は〔図４〕のように梯子の横桟を支柱先端のつかみ金具で下から支えるだけであるので、梯子に掛かる上からの荷重は支えられるが、電動ウインチの起動時や停止時に発生する梯子のレール面に対しての上下方向の揺れやたわみは防止できなかった。
【考案の開示】
【考案が解決しようとする課題】
【０００３】  梯子または梯子状レールを利用した荷揚げ機において、荷揚げ作業時の梯子または梯子状レールのたわみや揺れを防止する為に取り付けていた従来の支柱は、〔図３〕のように支柱先端のつかみ金具で梯子の横桟を下から突っ張るようにしているが、この支柱は地上面に置いてあるだけであり、さらに先端のつかみ金具は〔図４〕のように梯子の横桟の径より大きいので、梯子の上面方向へのがたつきは規制できない。
その為、荷揚げ作業時の荷重による梯子のたわみは受けることができるが、電動ウインチ起動時および停止時の梯子のレール面に対して垂直方向のたわみやばたつきは規制できなかった。
本考案は以上の問題点を解決し、電動ウインチ起動時および停止時の梯子のばたつきを防止できるようにしたものである。
【課題を解決するための手段】
【０００４】  電動ウインチを取り付け、梯子を取り付けられるようにした台枠と、梯子の横桟にボルトで固定された支柱受け金具とを支柱で結び、梯子と台枠とを一体構造とする。
本考案は以上の構成よりなる梯子の揺れおよびたわみを防止する金具である。
【考案の効果】
【０００５】  本考案を使用することにより、梯子とウインチを取り付けた台枠が一体構造となり、電動ウインチ起動時や停止時の梯子の揺れやたわみを防止することができるので荷揚げ作業時の荷崩れや荷物の落下を防止できる。
【考案を実施するための最良の形態】
【０００６】以下本考案の実施の形態を説明する。
（イ）電動ウインチ（１）および梯子（２）を取り付ける台枠（３）に、伸縮できる支柱（４）を固定できる下側支柱ブラケット（５）を設ける。
（ロ）梯子（２）の適当な高さの横桟（１５）にＪ型ボルト（６）およびノブ型ナット（７）を使用して、伸縮できる支柱（４）をボルト（１３）で固定できる上側支柱ブラケット金具（８）を固定する。
（ハ）伸縮可能な内パイプと外パイプより成り、内パイプは外パイプに設けられたノブボルト（９）で固定できるようにされ、内パイプと外パイプのそれぞれの先端が台枠（３）のブラケット（５）および上側支柱ブラケット金具（８）にボルト止めできるような穴が開けられた伸縮式支柱（４）を設ける。
本考案は以上の構成よりなる。
本考案を使用する場合は、台枠（３）に電動ウインチ（１）および梯子（２）を取り付け、梯子（２）の上部を固定してから、梯子（２）の上部に滑車（１１）を取り付け、梯子（２）に台車（１０）をセットし、電動ウインチ（１）のワイヤーロープ（１２）を滑車（１１）を介して台車（１０）の先端に取り付けて通常の荷揚げ作業が行なえる状態にする。
その後、伸縮式支柱（４）のとどく適当な高さの、梯子（２）の横桟（１５）に上側支柱ブラケット金具（８）をＪボルト（６）およびノブ型ナット（７）で取り付ける。
その後、伸縮式支柱（４）を上側支柱ブラケット金具（８）および台枠（３）の下側支柱ブラケット（５）にボルト（１３）およびナット（１４）で固定してから、伸縮式支柱（４）のノブボルト（９）を締め付けて伸縮式支柱（４）を固定して使用する。
伸縮式支柱（４）は梯子（２）の取り付け時の傾きにより、その取り付けピッチが変わるので、取り付けの際はその所要長さに調整して使用する。
【図面の簡単な説明】
【０００７】
【図１】本考案品の使用状態の斜視図である。
【図２】本考案品の上側支柱ブラケット金具の取り付け断面図である。
【図３】従来型支柱の使用状態における斜視図である。
【符号の説明】
【０００８】１：電動ウインチ
２：梯子
３：台枠
４：伸縮式支柱
５：下側支柱ブラケット
６：Ｊボルト
７：ノブ型ナット
８：上側支柱ブラケット金具
９：ノブボルト
１０：台車
１１：滑車
１２：ワイヤーロープ
１３：ボルト
１４：ナット
１５：横桟
１６：従来型支柱
【図１】
0003142692.tif 000003
【図２】
0003142692.tif 000004
【図３】
0003142692.tif 000005
【図４】
0003142692.tif 000006
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
電動ウインチ（１）および梯子（２）を取り付けてなる台枠（３）に設けられた下側支柱ブラケット（５）に下部が固定される伸縮できる支柱（４）と、
この支柱（４）の上部に設けた上側支柱ブラケット金具（８）と、
この上側支柱ブラケット金具（８）に取付けられた、フック部分を梯子（２）の横桟（１５）に掛けるためのＪ型ボルト（６）と、
前記横桟（１５）に掛った前記フック部分で該横桟（１５）を締め付けて前記上側支柱ブラケット金具（８）を前記梯子（２）に固定するための、前記Ｊ型ボルト（６）のボルト部分に螺合するナット（７）とからなることを特徴とする梯子の揺れおよびたわみを防止する金具。
【手続補正書】
【提出日】平成20年4月17日(2008.4.17)
【手続補正１】
【補正対象書類名】明細書
【補正対象項目名】０００７
【補正方法】変更
【補正の内容】
【０００７】
【図１】本考案品の使用状態図の斜視図である。
【図２】本考案品の上側ブラケット金具の取り付け断面図である。
【図３】従来型支柱の使用状態における斜視図である。
【図４】従来型支柱の梯子への取り付け状態を示す断面図である。